(57)【要約】【課題】アームで支持する器具本体の荷重および振動による負荷を分散することができる照明器具を提供する。【解決手段】照明器具10は、器具本体11、中央取付部23、アーム12および連結具52を備える。器具本体11は、発光モジュール15を有する。中央取付部23は、器具本体11の中央に設けられる。アーム12は、両端に設けられ器具本体11の両側部を支持する側部支持部56、および中央に設けられ中央取付部23を支持する中央支持部57を有する。連結具52は、アーム12の中央支持部57に対して中央取付部23を支持するとともに、中央支持部57と中央取付部23とを遊動可能に連結する。【選択図】図１
2020161403.tif 000002
【特許請求の範囲】
【請求項１】
光源を有する器具本体と；
前記器具本体の中央側に設けられる中央取付部と；
両端に設けられ前記器具本体の両側部を支持する側部支持部、および中央に設けられ前記中央取付部を支持する中央支持部を有するアームと；
前記アームの前記中央支持部に対して前記中央取付部を支持するとともに、前記中央支持部と前記中央取付部とを遊動可能に連結する連結具と；
を具備することを特徴とする照明器具。
【請求項２】
前記連結具は、前記アームの前記中央支持部と前記中央取付部とを、前記アームの両端を結ぶ両端方向と交差する軸を中心として回動可能に連結する
ことを特徴とする請求項１記載の照明器具。
【発明の詳細な説明】
【技術分野】
【０００１】
本発明の実施形態は、器具本体をアームで支持する照明器具に関する。
【背景技術】
【０００２】
従来、例えば施設などの天井が高い空間の照明に用いられる高天井用の照明器具がある。この照明器具では、光源を有する器具本体がアームで支持され、このアームによって天井などに設置されている。
【０００３】
アームは、アームの両端で器具本体の両側の２点を支持する場合が一般的であるが、大形の照明器具では、アームの両端および中央で器具本体の両側および中央の３点を支持する場合がある。
【０００４】
アームの両端の２点で器具本体を支持する場合には、アームの両端に器具本体の荷重が均等に分散され、振動に対してアームの両端に受ける負荷が均等に分散される。
【０００５】
しかし、アームの両端および中央の３点で器具本体を支持する場合には、アームの両端と中央に受ける器具本体の荷重に差が生じやすくなるため、振動に対してアームの中央に受ける負荷の割合が大きくなり、アームの中央での支持構造の破損につながる虞がある。
【先行技術文献】
【特許文献】
【０００６】
【特許文献１】特開２０１４−１３７９６４号公報
【発明の概要】
【発明が解決しようとする課題】
【０００７】
本発明は、アームで支持する器具本体の荷重および振動による負荷を分散することができる照明器具を提供することである。
【課題を解決するための手段】
【０００８】
実施形態の照明器具は、器具本体、中央取付部、アームおよび連結具を備える。器具本体は、光源を有する。中央取付部は、器具本体の中央に設けられる。アームは、両端に設けられ器具本体の両側部を支持する側部支持部、および中央に設けられ中央取付部を支持する中央支持部を有する。連結具は、アームの中央支持部に対して中央取付部を支持するとともに、中央支持部と中央取付部とを遊動可能に連結する。
【発明の効果】
【０００９】
実施形態の照明器具によれば、アームで支持する器具本体の荷重および振動による負荷を分散することが期待できる。
【図面の簡単な説明】
【００１０】
【図１】一実施形態を示す照明器具の正面図である。
【図２】同上照明器具の側面図である。
【図３】同上照明器具の平面図である。
【図４】同上照明器具のアームの中央支持部、連結板および連結具の断面図である。
【図５】同上照明器具の斜視図である。
【発明を実施するための形態】
【００１１】
以下、一実施形態を、図面を参照して説明する。
【００１２】
照明器具10は、例えば施設などの天井が高い空間の照明に用いられる高天井用照明器具である。
【００１３】
照明器具10は、器具本体11、およびこの器具本体11を角度調整可能に支持するアーム12を備えている。
【００１４】
そして、器具本体11は、複数の光源としての発光モジュール15、およびこれら発光モジュール15を取り付けた複数の放熱器16、発光モジュール15に対向して配光を制御する複数の反射体17、発光モジュール15および反射体17を覆う複数のカバー18、および発光モジュール15に点灯用電源を供給する複数の電源部19などを備えている。
【００１５】
発光モジュール15と放熱器16と反射体17とカバー18とが１つずつ組み合わされて器具単体（灯体）20が構成され、複数の器具単体20が連結部材21によって一体に連結されている。本実施形態では、４つの器具単体20が用いられ、２つずつの器具単体20が連結部材21によって一体に連結されて２組の器具単体群20a，20bが構成され、さらに、２組の器具単体群20a，20bが連結部材でもある両側の側部取付部22および中央取付部23によって一体に連結され、４つの器具単体20が四角形の４隅に配置されるように配置されている。連結部材21、側部取付部22および中央取付部23は、器具単体20の放熱器16を連結している。
【００１６】
発光モジュール15は、基板、およびこの基板に実装された発光素子を備えている。発光素子は、ＬＥＤや有機ＥＬなどの半導体発光素子である。
【００１７】
放熱器16は、金属製で、下面に発光モジュール15の基板が熱的に接続された状態に取り付けられる放熱板16a、およびこの放熱板16aの上面から突設された複数の放熱フィン16bを有している。
【００１８】
反射体17は、放熱器16の下面側に取り付けられ、発光モジュール15の光を所定の配光に制御する。
【００１９】
カバー18は、全体または少なくとも下面に透光性を有し、発光モジュール15および反射体17を覆って放熱器16の下面側に取り付けられている。
【００２０】
電源部19は、２組の器具単体群20a，20b毎に設けられている。電源部19は、２つの電源ケース24、これら電源ケース24内に収容される電源基板25、および一方の電源ケース24に設けられる端子台26を有している。２つの電源ケース24は、互いに対向する側面の両端部が連結部27によって一体に連結され、両端の連結部27間で２つの電源ケース24の互いに対向する側面間に中央取付部23が挿通される間隙部28が設けられている。連結部27の内側には２つの電源ケース24内に連通される配線通路29が形成されている。電源基板25は、各発光モジュール15毎に設けられ、例えば交流電源を所定の直流電源に変換して各発光モジュール15に供給する電源回路を備えている。端子台26は、一方の電源ケース24の端面に配置され、外部から交流電源を供給する電源線や信号を伝送する信号線が接続される。端子台26は、２つの電源ケース24内の各電源基板25に内部配線30によって電気的に接続されている。一方の電源ケース24に配置された端子台26からは、内部配線30が配線通路29を通じて他方の電源ケース24の電源基板25に電気的に接続されている。電源ケース24の下面からは各器具単体20の発光モジュール15に電気的に接続される接続線31が配線されている。
【００２１】
両側の側部取付部22は、器具本体11の両側にそれぞれ設けられる。両側の側部取付部22は、金属製の側部取付板33を有している。この側部取付板33は、器具単体群20a，20bの上側に亘って横長に設けられる電源取付部である横継ぎ部34、この横継ぎ部34の両端から下方に突設され器具単体群20a，20bの外側部に取り付けられる器具本体取付部35、および横継ぎ部34の中央から上方に突設されアーム12に連結されるアーム取付部36を有している。器具本体取付部35は、器具単体群20a，20bの放熱器16にボルト、ナットなどの固定具37によって固定されている。アーム取付部36は、アーム12にボルト38a、ナット38bおよびカラーなどを有する連結具38、およびボルト39a、ナット39bを有する締結具39によって角度調整可能に取り付けられている。アーム取付部36には、連結具38および締結具39が挿通する挿通孔がそれぞれ設けられている。そして、両側の側部取付部22の横継ぎ部34間に電源部19が取り付けられている。これにより、両側の側部取付部22は、器具単体群20a，20bおよび電源部19を介して一体に連結されている。
【００２２】
中央取付部23は、器具本体11の中央側に設けられている。中央取付部23は、器具単体群20a，20bの互いに対向する内側部に取り付けられる一対の金属製の中央取付板42、およびこれら中央取付板42の上端間を連結する連結部である金属製の連結板43を有している。なお、連結板43は、中央取付部23でなく、アーム12側が有する構成でもよいし、中央取付部23およびアーム12とは別に照明器具10が有する構成でもよい。
【００２３】
中央取付部23の中央取付板42は、器具単体群20a，20bの上側に亘って横長に設けられる横継ぎ部44、この横継ぎ部44の両端から下方に突設され器具単体群20a，20bの互いに対向する内側部に取り付けられる器具本体取付部45、および横継ぎ部34の中央から上方に突設され連結板43を介してアーム12に連結されるアーム取付部46を有している。器具本体取付部45は、器具単体群20a，20bの放熱器16にボルト、ナットを有する固定具47によって固定されている。アーム取付部46は、連結板43にボルト48a、ナット48bおよびカラーなどを有する連結具48によって角度調整可能に取り付けられている。アーム取付部46には、連結具48が挿通する挿通孔が設けられている。なお、側部取付板33と中央取付板42とは共通の部品で構成されている。
【００２４】
中央取付部23の連結板43は、四角形状のベース板部49、ベース板部49の一方の対向する縁部から下方に折曲されて突出する一対の第１の連結板部50、およびベース板部49の他方の対向する縁部から上方に折曲されて突出する一対の第２の連結板部51を有している。
【００２５】
連結板43の一対の第１の連結板部50は、連結具48によって一対の中央取付板42のアーム取付部46に角度調整可能に連結されている。一対の第１の連結板部50には、連結具48が挿通する挿通孔が設けられている。連結具48は、第１の連結板部50に対してアーム取付部46を支持するとともに、第１の連結板部50とアーム取付部46とを連結具48の軸を中心として回動可能に連結している。
【００２６】
連結板43の一対の第２の連結板部51は、連結具52によってアーム12に連結されている。一対の第２の連結板部51には、連結具52が挿通する挿通孔51aが設けられている。連結具52は、アーム12（中央支持部）に対して中央取付部23を支持するとともに、アーム12（中央支持部）と中央支持部23とを遊動可能に連結している。連結具52は、アーム12（中央支持部）と中央取付部23とを、連結具52の軸を中心として回動可能に連結するものであって、アーム12の両端を結ぶ両端方向と交差する軸を中心として回動可能に連結している。
【００２７】
また、アーム12は、金属板によって形成されている。アーム12は、横長の設置部55、この設置部55の長手方向の両端から下方に折曲されて突出する両側の側部支持部56、および設置部55の長手方向の中央で長手方向に交差する幅方向の両側から下方に折曲されて突出する一対の中央支持部57を有している。
【００２８】
設置部55には、天井構造部に設置するための設置孔などの設置構造が設けられている。設置部55は、長手方向の中央よりも両端側が下方に突出するように折曲されている。
【００２９】
両側の側部支持部56は、器具本体11の両側の側部取付部22の外面側に配置され、両側の側部取付部22を角度調整可能に支持する。両側の側部支持部56は、連結具38および締結具39によって器具本体11の両側の側部取付部22と連結されている。両側の側部支持部56には、連結具38が挿通される挿通孔、およびこの挿通孔を中心とした円弧溝状に設けられ締結具39が挿通される角度調整孔56aが設けられている。締結具39は、ボルト39aが側部支持部56の角度調整孔56aおよび側部取付部22の挿通孔を挿通してナット39bに螺着され、これらボルト39aとナット39bが締め付けられることにより、側部支持部56と側部取付部22とが締め付け固定される。
【００３０】
一対の中央支持部57は、器具本体11の中央取付部23を角度調整可能に支持する。一対の中央支持部57は、連結具52によって中央取付部23が有する連結板43の第２の連結板部51と連結されている。中央支持部57には、連結具52が挿通する挿通孔57aが設けられている。
【００３１】
また、図４に示すように、連結具52は、ボルト60、ナット61、およびスペーサであるカラー62を備えている。ボルト60は、雄ねじ部63および頭部64を有し、雄ねじ部63が連結板43の第２の連結板部51の挿通孔51a、およびアーム12の中央支持部57の挿通孔57aを貫通してナット61の雌ねじに螺着される。ナット61は、中央支持部57の内側に配置されており、中央支持部57に溶接などで一体に固定されていてもよい。
【００３２】
カラー62は、例えば金属製で、ボルト60の雄ねじ部63が挿通可能とする円筒状に形成されている。カラー62の外径は、第２の連結板部51の挿通孔51aの内径よりも小さく、中央支持部57の挿通孔57aの内径よりも大きい寸法に形成されている。すなわち、カラー62は、第２の連結板部51の挿通孔51aを挿通して回動可能に配置されるが、中央支持部57の挿通孔57aには挿通されず、カラー62の端面が中央支持部57の側面に当接する。また、カラー62の軸方向の長さは、第２の連結板部51の板厚の寸法よりも長く設けられている。そして、カラー62を装着したボルト60をナット61に螺着して締め付けた際、ボルト60の頭部64と中央支持部57との間にカラー62が挟み込まれて締め付け固定される。そのため、ボルト60の頭部64と中央支持部57との間で第２の連結板部51を挟み込んで締め付けることがなく、中央支持部57と第２の連結板部51が連結具52の軸を中心として回動可能とする。
【００３３】
このような連結具52の構成は、アーム12の両側の側部支持部56と器具本体11の両側の側部取付部22とを回動可能つまり角度調整可能に連結する連結具38、アーム12の中央支持部57に連結される連結板43と器具本体11の中央支持部23の中央支持板42とを回動可能つまり角度調整可能に連結する連結具48にも用いられている。
【００３４】
アーム12の両側の側部支持部56と器具本体11の両側の側部取付部22とを回動可能に連結する連結具38と、アーム12の中央支持部57に連結される連結板43と器具本体11の中央支持部23の中央取付板42とを回動可能に連結する連結具48とは、同軸上に配置され、これら連結具38，48の軸を中心として器具本体11とアーム12とが角度調整可能に連結されている。
【００３５】
そして、照明器具10の施工時には、アーム12の設置部55を天井などの設置面に設置し、両側の締結具39を緩めた状態で、連結具38，48の軸を中心としてアーム12に対して器具本体11の角度つまり光照射方向の向きを調整した後、両側の締結具39が締め付けて器具本体11をアーム12に固定する。また、設置面側に配線されている電源線や信号線を、電源部19の端子台26に接続する。
【００３６】
電源部19に外部電源が供給されることにより、発光モジュール15が点灯し、発光モジュール15の光が反射体17を通過するとともにカバー18を透過して光照射方向に照射される。
【００３７】
発光モジュール15が点灯時に発生する熱は、放熱器16に伝達され、この放熱器16から空気中に放熱される。
【００３８】
また、照明器具10は、アーム12の両側の側部支持部56および中央支持部57の３点で器具本体11を支持している。そのため、アーム12は、器具本体11の荷重を分散して受け止めることができる。
【００３９】
器具本体11にアーム12の両端を結ぶ両端方向への振動が作用した場合、アーム12の設置部55の両端側が弾性変形して負荷から受け止める。このとき、アーム12の中央支持部57に対して器具本体11の中央取付部23の連結板43を連結具52によって回動可能に連結していることにより、アーム12に対して器具本体11が連結具52の軸を中心として回動（図１のＶ方向に回動）し、アーム12と器具本体11との連結箇所に負荷が加わるのが低減される。そのため、アーム12の両側と中央とに加わる負荷が分散され、アーム12の中央での支持構造の破損が防止される。
【００４０】
このように構成された照明器具10では、連結具52により、アーム12の中央支持部57に対して中央取付部23を支持するとともに、中央支持部57と中央取付部23とを遊動可能に連結するため、アーム12の中央支持部57で支持する器具本体11の荷重および振動による負荷を分散することができる。
【００４１】
さらに、連結具52は、アーム12の中央支持部57と中央取付部23とを、アーム12の両端を結ぶ両端方向と交差する軸を中心として回動可能に連結しているため、アーム12の両端を結ぶ両端方向への器具本体11の振動に対する負荷を効果的に分散することができる。
【００４２】
また、連結具52の位置は、アーム12の設置部55よりも中央取付部23（連結板43のベース板部49）に近い位置が好ましい。この位置関係であると、アーム12に対する器具本体11の振れ幅を小さくでき、器具本体11の不要な振れを抑制できる。
【００４３】
なお、連結具52により、アーム12の中央支持部57に対して中央取付部23を支持するとともに、中央支持部57と中央取付部23とを遊動可能に連結する構成としては、回動可能に連結する他、中央支持部57に対して中央取付部23が例えばアーム12の両端を結ぶ両端方向にスライド可能に連結するようにしても構わない。
【００４４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４５】
10    照明器具
11    器具本体
12    アーム
15    光源としての発光モジュール
23    中央取付部
52    連結具
56    側部支持部
57    中央支持部
【図１】
2020161403.tif 000003
【図２】
2020161403.tif 000004
【図３】
2020161403.tif 000005
【図４】
2020161403.tif 000006
【図５】
2020161403.tif 000007